(57)【要約】【課題】設置された容器の移動を抑制できる飲料抽出機及び抽出機本体を提供する。【解決手段】飲料抽出機１は、容器５０と、設置された容器５０に抽出したコーヒーを注ぐ抽出機本体１０と、を備える。抽出機本体１０は、コーヒー粉を収容した状態でお湯が注がれることでコーヒーを生成するドリッパー１６と、容器５０が抽出機本体１０に設置されていないときドリッパー１６内から容器５０内へコーヒーが流れることを規制する閉弁位置に付勢され、容器５０が抽出機本体１０に設置されたとき、容器５０に押されることで、ドリッパー１６内から容器５０内へコーヒーが流れることを許容する開弁位置まで回転するレバー１４と、抽出機本体１０からコーヒーが注入される位置（容器収納空間内）に存在する容器５０を押さえる押さえ部材３１と、を備える。【選択図】図２
2017064005.tif 000002
【特許請求の範囲】
【請求項１】
容器と、設置された前記容器に抽出した飲料を注ぐ抽出機本体と、を備えた飲料抽出機であって、
前記抽出機本体は、
飲料抽出原料を収容した状態で液体が注がれることで前記飲料を生成するドリッパーと、
前記容器が前記抽出機本体に設置されていないとき、前記ドリッパー内から前記容器内へ前記飲料が流れることを規制する閉弁位置に付勢され、前記容器が前記抽出機本体に設置されたとき、前記容器に押されることで、前記ドリッパー内から前記容器内へ前記飲料が流れることを許容する開弁位置まで変位する弁制御部材と、
前記抽出機本体から前記飲料が注入される位置に存在する前記容器を押さえる押さえ部材と、を備える、
ことを特徴とする飲料抽出機。
【請求項２】
前記抽出機本体は、前記容器の底面が設置される設置板部を備え、
前記容器の底面には、容器側嵌合部が形成され、
前記設置板部には、前記容器側嵌合部に嵌合する本体側嵌合部が形成される、
ことを特徴とする請求項１に記載の飲料抽出機。
【請求項３】
前記本体側嵌合部は、前記設置板部における前記容器が設置される面に凸状に形成され、
前記本体側嵌合部の上面には、前記容器が前記抽出機本体に挿入される方向に向かうにつれて、前記設置板部の厚さ方向に延びる高さが高くなる傾斜面が形成される、
ことを特徴とする請求項２に記載の飲料抽出機。
【請求項４】
前記抽出機本体は、前記弁制御部材が前記抽出機本体に設置された前記容器を押す力より大きい力で、前記押さえ部材を介して前記容器を押す、
ことを特徴とする請求項１から３の何れか一項に記載の飲料抽出機。
【請求項５】
前記容器は、
有底筒状の容器本体と、
前記容器本体の開口部を覆う蓋体と、を備え、
前記押さえ部材は、前記設置された前記容器の上方に位置し、前記容器本体の上端に当接する当接部を備える、
ことを特徴とする請求項１から４の何れか一項に記載の飲料抽出機。
【請求項６】
前記押さえ部材は、前記容器が前記抽出機本体に挿入される際、前記当接部より先に前記容器に当接する位置に設けられ、前記当接部側に向かうにつれて設置面に近くなる傾斜面を備える、
ことを特徴とする請求項５に記載の飲料抽出機。
【請求項７】
前記容器本体は、前記容器本体の上端に連結され、前記抽出機本体の高さ方向から見て前記容器本体の外側に向かって突出する注ぎ口を備え、
前記押さえ部材には、前記容器が前記抽出機本体に挿入される際、前記注ぎ口を避ける谷部が形成される、
ことを特徴とする請求項５又は６に記載の飲料抽出機。
【請求項８】
前記容器は、全体が合成樹脂により形成される、
ことを特徴とする請求項１から７の何れか一項に記載の飲料抽出機。
【請求項９】
設置された容器に抽出した飲料を注ぐ抽出機本体であって、
飲料抽出原料を収容した状態で液体が注がれることで前記飲料を生成するドリッパーと、
前記容器が前記抽出機本体に設置されていないとき、前記ドリッパー内から前記容器内へ前記飲料が流れることを規制する閉弁位置に付勢され、前記容器が前記抽出機本体に設置されたとき、前記容器に押されることで、前記ドリッパー内から前記容器内へ前記飲料が流れることを許容する開弁位置まで変位する弁制御部材と、
前記抽出機本体から前記飲料が注入される位置に存在する前記容器を押さえる押さえ部材と、を備える、
ことを特徴とする抽出機本体。
【発明の詳細な説明】
【技術分野】
【０００１】
本発明は、飲料抽出機及び抽出機本体に関する。
【背景技術】
【０００２】
従来から、飲料抽出機は、コーヒーなどの飲料を抽出する抽出機本体と、抽出された飲料を受け入れる、抽出機本体に対して着脱可能な容器とを備える。例えば、特許文献１に記載の抽出機本体は、コーヒー粉などの飲料抽出原料を収容するドリッパーと、ドリッパーの吐出口に設けられた止水弁と、容器の有無に応じて止水弁の開閉状態を切り替えるレバーと、止水弁が閉じた状態となるようにレバーを付勢する付勢部材と、を備える。この種の飲料抽出機においては、容器が抽出機本体に設置されることで、容器によって押されたレバーが付勢部材の弾性力に抗して止水弁を開くように動作する。止水弁が開くことで、抽出機本体から容器に飲料が注入可能となる。
【先行技術文献】
【特許文献】
【０００３】
【特許文献１】特開２０１３−１１１１８９号公報
【発明の概要】
【発明が解決しようとする課題】
【０００４】
上記特許文献１の抽出機本体において、容器が設置されていないときに止水弁を確実に閉状態にするためには、付勢部材によって大きい付勢力で、レバーを止水弁が閉じる方向に付勢する必要がある。しかし、このように付勢部材による付勢力が大きく設定された場合、レバーによって抽出機本体に設置された容器が移動するおそれがある。この容器の移動に伴って、レバーが止水弁を閉じる方向に回転することにより止水弁は閉じる。これにより、ドリッパーから容器にコーヒーが注がれずに溢れ出て、床やテーブルを汚すおそれもある。
【０００５】
本発明は、上記実状を鑑みてなされたものであり、設置された容器の移動を抑制できる飲料抽出機及び抽出機本体を提供することを目的とする。
【課題を解決するための手段】
【０００６】
上記目的を達成するため、本発明に係る飲料抽出機は、容器と、設置された前記容器に抽出した飲料を注ぐ抽出機本体と、を備えた飲料抽出機であって、前記抽出機本体は、飲料抽出原料を収容した状態で液体が注がれることで前記飲料を生成するドリッパーと、前記容器が前記抽出機本体に設置されていないとき、前記ドリッパー内から前記容器内へ前記飲料が流れることを規制する閉弁位置に付勢され、前記容器が前記抽出機本体に設置されたとき、前記容器に押されることで、前記ドリッパー内から前記容器内へ前記飲料が流れることを許容する開弁位置まで変位する弁制御部材と、前記抽出機本体から前記飲料が注入される位置に存在する前記容器を押さえる押さえ部材と、を備える。
【０００７】
また、前記抽出機本体は、前記容器の底面が設置される設置板部を備え、前記容器の底面には、容器側嵌合部が形成され、前記設置板部には、前記容器側嵌合部に嵌合する本体側嵌合部が形成されるようにしてもよい。
【０００８】
また、前記本体側嵌合部は、前記設置板部における前記容器が設置される面に凸状に形成され、前記本体側嵌合部の上面には、前記容器が前記抽出機本体に挿入される方向に向かうにつれて、前記設置板部の厚さ方向に延びる高さが高くなる傾斜面が形成されるようにしてもよい。
【０００９】
また、前記抽出機本体は、前記弁制御部材が前記抽出機本体に設置された前記容器を押す力より大きい力で、前記押さえ部材を介して前記容器を押すようにしてもよい。
【００１０】
また、前記容器は、有底筒状の容器本体と、前記容器本体の開口部を覆う蓋体と、を備え、前記押さえ部材は、前記設置された前記容器の上方に位置し、前記容器本体の上端に当接する当接部を備えるようにしてもよい。
【００１１】
また、前記押さえ部材は、前記容器が前記抽出機本体に挿入される際、前記当接部より先に前記容器に当接する位置に設けられ、前記当接部側に向かうにつれて設置面に近くなる傾斜面を備えるようにしてもよい。
【００１２】
また、前記容器本体は、前記容器本体の上端に連結され、前記抽出機本体の高さ方向から見て前記容器本体の外側に向かって突出する注ぎ口を備え、前記押さえ部材には、前記容器が前記抽出機本体に挿入される際、前記注ぎ口を避ける谷部が形成されるようにしてもよい。
【００１３】
また、前記容器は、全体が合成樹脂により形成されるようにしてもよい。
【００１４】
上記目的を達成するため、本発明に係る抽出機本体は、設置された容器に抽出した飲料を注ぐ抽出機本体であって、飲料抽出原料を収容した状態で液体が注がれることで前記飲料を生成するドリッパーと、前記容器が前記抽出機本体に設置されていないとき、前記ドリッパー内から前記容器内へ前記飲料が流れることを規制する閉弁位置に付勢され、前記容器が前記抽出機本体に設置されたとき、前記容器に押されることで、前記ドリッパー内から前記容器内へ前記飲料が流れることを許容する開弁位置まで変位する弁制御部材と、前記抽出機本体から前記飲料が注入される位置に存在する前記容器を押さえる押さえ部材と、を備える。
【発明の効果】
【００１５】
本発明によれば、設置された容器の移動を抑制できる。
【図面の簡単な説明】
【００１６】
【図１】本発明の一実施形態に係る飲料抽出機を示す斜視図である。
【図２】本発明の一実施形態に係る抽出機本体に容器を設置した飲料抽出機を示す断面図である。
【図３】本発明の一実施形態に係る抽出機本体から容器を離脱させた飲料抽出機を示す断面図である。
【図４】本発明の一実施形態に係る（ａ）〜（ｄ）は、抽出機本体に容器が挿入される様子を示した部分断面図である。
【図５】本発明の一実施形態に係る（ａ）は抽出機本体に容器を設置した飲料抽出機を示す正面図であり、（ｂ）は抽出機本体に容器を設置した飲料抽出機を示す側面図であり、（ｃ）は抽出機本体から容器を離脱させた飲料抽出機を示す正面図であり、（ｄ）は抽出機本体から容器を離脱させた飲料抽出機を示す側面図である。
【図６】本発明の一実施形態に係る（ａ）は飲料抽出機を切断したときの斜視図であり、（ｂ）は飲料抽出機の部分断面図である。
【図７】本発明の変形例に係る（ａ）は飲料抽出機を示す正面図であり、（ｂ）は当該（ａ）の部分断面図である。
【図８】本発明の変形例に係る（ａ）は飲料抽出機を示す正面図であり、（ｂ）は飲料抽出機を示す斜視図である。
【発明を実施するための形態】
【００１７】
本発明に係る飲料抽出機の一実施形態について、図面を参照して説明する。
【００１８】
（概略の説明）
本実施形態に係る飲料抽出機は、飲料としてコーヒー、特にアイスコーヒーを生成するためのものである。具体的には、飲料抽出機１は、図１に示すように、コーヒーを抽出する抽出機本体１０と、抽出されたコーヒーが注がれる、抽出機本体１０に着脱可能な容器５０と、を備える。抽出機本体１０は、例えばテーブルの上面等からなる設置面５に設置される。また、抽出機本体１０には、容器５０を収容可能な容器収納空間１０ａが形成される。例えば、ユーザは、容器５０の内部に氷を入れ、その容器５０を抽出機本体１０の容器収納空間１０ａに挿入する。抽出機本体１０は、容器収納空間１０ａに設置された容器５０に高温のコーヒーを注ぐ。このコーヒーは容器５０内の氷によって冷まされることでアイスコーヒーを生成することができる。以下、本明細書では、図１にも示すように、容器５０を抽出機本体１０に挿入する方向を「奥」と規定し、その反対方向を「手前」と規定する。また、飲料抽出機１において設置面５に近づく方向を「下」と規定し、設置面５から遠ざかる方向を「上」と規定する。
【００１９】
（容器５０の構成）
容器５０は、図１に示すように、有底筒状をなす容器本体５１と、略円板状の蓋体５２とを備える。容器本体５１は、図２に示すように、２層構造で合成樹脂により形成されている。２層構造にすることにより、断熱性能が優れた容器になる。容器本体５１の外面は、図１に示すように、容器５０の高さ方向（図１の上下方向）から見て、各角部が円弧状をなす略正方形で形成されている。容器本体５１の内周面は、容器５０の高さ方向から見て、真円状に形成されている。
【００２０】
容器本体５１は、図１に示すように、取手５１ｂ及び注ぎ口５１ｃを備える。取手５１ｂは、容器本体５１の外側側面（図１では手前側の外側側面）に、容器５０の高さ方向に延びる略Ｃ字状に形成されている。注ぎ口５１ｃは、容器本体５１の内周面の上側端部から容器本体５１の径方向外側（図１では奥側）に突出するように形成されている。具体的には、注ぎ口５１ｃは、径方向外側に行くにつれて容器本体５１の上側に向かう傾斜面５１ｃ２と、傾斜面５１ｃ２の両側部から立ち上がる一対の側壁５１ｃ１とから構成される。
【００２１】
容器本体５１の上部には開口部５１ｆが形成されている。容器本体５１の開口部５１ｆには、樹脂により形成される蓋体５２が嵌め込まれている。例えば、容器本体５１の開口部５１ｆと蓋体５２の外周面とには、互いに螺合するねじ溝及びねじ山が形成される。これにより、蓋体５２を回転させることで、蓋体５２を容器本体５１に着脱させることができる。
【００２２】
容器本体５１の外側底面には、図１及び図２に示すように、第１の凹部５１ｄ及び第２の凹部５１ｅが形成されている。第１の凹部５１ｄは、円板状の穴により形成される。第２の凹部５１ｅは、第１の凹部５１ｄの中央から容器５０の外側側面（正確には注ぎ口５１ｃが設けられた側面）まで延びる略正方形柱状の穴により形成される。第２の凹部５１ｅは、第１の凹部５１ｄより深い穴として形成されている。なお、第１の凹部５１ｄは容器側嵌合部の一例である。
【００２３】
（抽出機本体１０の構成）
抽出機本体１０は、図１に示すように、設置面５側に位置するベース部１１と、ベース部１１の上部に装着されたノーズ部１５と、を備える。
【００２４】
（抽出機本体１０におけるベース部１１の構成）
ベース部１１は、図１及び図２に示すように、設置板部１２と、柱部１３と、レバー１４と、第１のコイルバネ１４ｃと、を備える。設置板部１２及び柱部１３は、合成樹脂により一体で形成される。設置板部１２は、略正方形の板状をなすとともに、設置面５に対面するように位置する。設置板部１２の上面には、容器５０の底面が設置可能に構成される。
設置板部１２の上面中央には、円板状の第１の凸部１２ａが形成されている。第１の凸部１２ａは、上述した容器５０の第１の凹部５１ｄに嵌合可能に形成されている。第１の凸部１２ａの上面における手前側の半円部には、設置面５を基準とした高さが奥側に向かうにつれて高くなるような傾斜面１２ａ１が形成されている。第２の凸部１２ｂは、第１の凸部１２ａの上面中央から奥側に延びる略正方形柱状に形成されている。第２の凸部１２ｂは、上述した容器５０の第２の凹部５１ｅに嵌合可能に形成されている。第１の凸部１２ａ及び第２の凸部１２ｂは、設置板部１２と一体で形成されている。なお、第１の凸部１２ａは本体側嵌合部の一例である。
【００２５】
柱部１３は、図１に示すように、設置板部１２の奥側に位置し、高さ方向に延びる柱状をなす。柱部１３は、図２に示すように、水を収容する水タンク１３ｃを含むように中空状に形成されている。柱部１３には、図１に示すように、容器５０における注ぎ口５１ｃ側の部分が収納される第３の凹部１３ａが形成されている。第３の凹部１３ａは容器５０の高さより長い距離にわたって高さ方向に延び、第３の凹部１３ａの内部は容器収納空間１０ａの一部をなす。
【００２６】
第３の凹部１３ａの奥側には高さ方向に延びる略四角柱状の第４の凹部１３ｂが形成されている。第４の凹部１３ｂは、手前側が開口している。第４の凹部１３ｂ内には、棒状のレバー１４が設けられている。レバー１４は、第４の凹部１３ｂ内から突出している。レバー１４は、図２に示すように、第４の凹部１３ｂ内に位置する回転軸Ｏ１を中心に回転可能に支持されている。回転軸Ｏ１は、容器５０の挿入方向に直交する方向であって、かつ設置面５に平行な軸である。レバー１４は、レバー１４の上端に位置するドリッパー側押圧部１４ａと、レバー１４の下端に位置する容器側押圧部１４ｂと、を備える。ドリッパー側押圧部１４ａ及び容器側押圧部１４ｂは、それぞれ、手前側に向かって延びる、先端が球状の円錐状に形成されている。レバー１４は弁制御部材の一例である。
【００２７】
第１のコイルバネ１４ｃは、回転軸Ｏ１より上部であって、かつレバー１４の奥側に位置する。第１のコイルバネ１４ｃの一端はレバー１４に係止され、第１のコイルバネ１４ｃの他端は柱部１３の第４の凹部１３ｂに係止されている。第１のコイルバネ１４ｃは、図３に示すように、レバー１４を時計回り方向に付勢する。これにより、容器５０が設置板部１２に設置されていないとき、レバー１４の容器側押圧部１４ｂは、第４の凹部１３ｂ外における、容器収納空間１０ａ内に位置する。このとき、レバー１４は閉弁位置に位置する。レバー１４は、閉弁位置から第１のコイルバネ１４ｃの弾性力に抗して開弁位置に向かって図３の反時計回りに回転可能である。容器５０の設置に伴うレバー１４等の動作については後で詳述する。
【００２８】
（抽出機本体１０におけるノーズ部１５の構成）
ノーズ部１５は、図１に示すように、略楕円柱状に形成されるとともに、柱部１３の上部に装着される。ノーズ部１５における手前側の部分は、容器収納空間１０ａを挟んで設置板部１２に対向して位置する。図２に示すように、ノーズ部１５の内部には、着脱可能にドリッパー１６が設けられている。ドリッパー１６は、略円錐状であり、その下方に穴を備え、その内部に飲料抽出原料としてコーヒー粉を収容可能である。ドリッパー１６の内周面には、吐出凹部１６ａが形成されており、その吐出凹部１６ａの下端には吐出口１６ｂが形成されている。吐出口１６ｂは、容器収納空間１０ａに向かって開口している。ドリッパー１６には、吐出口１６ｂを開閉する弁部材１７が別部材として設けられている。弁部材１７は、湾曲棒状に形成され、上記レバー１４の回転軸Ｏ１と平行方向に延びる回転軸Ｏ２を中心にドリッパー１６に対して回転可能に構成されている。弁部材１７の下端部には、吐出口１６ｂを塞ぐことができる栓部１７ａが形成されている。弁部材１７の上端部における奥側の部位は、レバー１４のドリッパー側押圧部１４ａの先端に当接している。弁部材１７におけるドリッパー側押圧部１４ａの反対側には、第２のコイルバネ１８が設けられている。第２のコイルバネ１８は、弁部材１７の上端とドリッパー１６との間に設けられている。弁部材１７は、図３に示すように、レバー１４が閉弁位置にあるとき、第２のコイルバネ１８によって、図３の時計回り、すなわち栓部１７ａが吐出口１６ｂを塞ぐ方向に付勢されている。容器５０が抽出機本体１０に挿入されることで、レバー１４が閉弁位置から開弁位置に向かって図２の反時計回りに回転する。このとき、弁部材１７がレバー１４のドリッパー側押圧部１４ａに押されることで、弁部材１７は、第２のコイルバネ１８の弾性力に抗して、図２の反時計回りに回転する。これにより、栓部１７ａが吐出口１６ｂから離れる。
【００２９】
ノーズ部１５は、その上部に位置し、ドリッパー１６を開閉可能な蓋体２０を備える。蓋体２０には、お湯（液体）をドリッパー１６に供給する給液部２０ａが形成されている。給液部２０ａは、水タンク１３ｃまで続く給湯路２０ｂを備え、給湯路２０ｂには給湯路２０ｂ内の水を加熱する加熱手段（図示しない）が設けられる。
【００３０】
（容器押さえ機構３０の構成）
ノーズ部１５は、図３に示すように、その容器収納空間１０ａに露出する部位に位置する容器押さえ機構３０を備える。容器押さえ機構３０は、図６（ａ），（ｂ）に示すように、容器収納空間１０ａに設置される容器５０を押さえる押さえ部材３１と、押さえ部材３１を容器５０側に付勢する一対の押さえ部材用バネ３２とを備える。
【００３１】
押さえ部材３１は、ノーズ部１５における容器収納空間１０ａに露出する部位に、高さ方向に沿って上下移動可能に装着されている。押さえ部材３１は、図５（ａ）〜（ｄ）に示すように、容器５０の挿入方向に沿って延びる２つの山部３１ａを備える。２つの山部３１ａは、レバー１４の回転軸Ｏ１方向（図５（ａ），（ｃ）の左右方向）に沿って並べられ、それぞれ同一の形状からなる。各山部３１ａは、図５（ｃ）に示すように、容器５０の挿入方向から見て、容器収納空間１０ａ側に突出する凸状に形成されている。２つの山部３１ａの間には、容器５０の注ぎ口５１ｃが通過可能な凹状の谷部３１ｂが形成されている。
【００３２】
各山部３１ａは、図４（ｄ）及び図６（ａ）に示すように、その奥側に位置する容器本体５１の上端に当接する当接部３１ａ１と、当接部３１ａ１より手前側に位置する軸収容部３１ａ２と、軸収容部３１ａ２より手前側に位置する傾斜面３１ａ３と、を備える。軸収容部３１ａ２は設置板部１２に向かって開口した有底筒状に形成され、その底部には貫通孔３１ａ４が形成されている。軸収容部３１ａ２の開口端部は当接部３１ａ１及び傾斜面３１ａ３に接続されている。傾斜面３１ａ３は、図３に示すように、手前側に行くにつれて設置板部１２から離れるように傾斜する。
【００３３】
図６（ａ）及び（ｂ）に示すように、ノーズ部１５における押さえ部材３１の各軸収容部３１ａ２に対向する部位には、それぞれ円筒状のバネ収容軸部１５ａが形成されている。各バネ収容軸部１５ａは、押さえ部材３１の各軸収容部３１ａ２の貫通孔３１ａ４に挿通されている。各バネ収容軸部１５ａの先端側には、その径方向外側に延びる円板状の抜け止め部１５ｂが形成されている。各抜け止め部１５ｂが各軸収容部３１ａ２の貫通孔３１ａ４の内周縁部に当接することで、各バネ収容軸部１５ａが各軸収容部３１ａ２から外れることが抑制される。一対のバネ収容軸部１５ａの外周には、それぞれコイルバネである押さえ部材用バネ３２が設けられている。一対の押さえ部材用バネ３２は、それぞれの弾性力により各軸収容部３１ａ２を介して押さえ部材３１を設置板部１２に向かって付勢する。一対の押さえ部材用バネ３２は、押さえ部材３１が容器５０を押す力がレバー１４の容器側押圧部１４ｂが容器５０を押す力より大きくなるように設定されている。
【００３４】
（動作）
次に、容器５０を抽出機本体１０に挿入する際の動作について説明する。
図５（ｃ）及び（ｄ）に示すように、抽出機本体１０に容器５０が設置されていない状態においては、押さえ部材３１は、押さえ部材用バネ３２の弾性力により設置板部１２側に付勢されて位置する。このとき、押さえ部材３１の当接部３１ａ１及び設置板部１２の間の距離は、容器５０の高さより小さい。この状態において、図１及び図４（ａ）に示すように、ユーザは、取手５１ｂを把持しつつ、容器５０を容器収納空間１０ａに挿入して行く。容器５０が奥側に挿入される際、図１に示すように、容器５０の外側底面は、第１の凸部１２ａの傾斜面１２ａ１に沿って摺動する。また、このとき、容器５０の注ぎ口５１ｃは、押さえ部材３１の谷部３１ｂ内に進入する。さらに、このとき、容器５０の第２の凹部５１ｅ内に、設置板部１２の第２の凸部１２ｂが進入する。そして、容器５０が所定の位置に達したとき、図４（ｂ）に示すように、容器本体５１の上端は、押さえ部材３１の傾斜面３１ａ３に当接する。この当接した状態から、さらに、容器５０が奥側に挿入されることで、図４（ｃ）に示すように、押さえ部材３１は押さえ部材用バネ３２の弾性力に抗して上方向に移動する。さらに、容器５０を奥側に挿入することで、容器本体５１の上端は、押さえ部材３１の当接部３１ａ１に当接する。このとき、２つの当接部３１ａ１が押さえ部材用バネ３２の弾性力に基づき、容器本体５１の上端を設置板部１２側に押圧する。よって、押さえ部材３１により容器５０が位置決めされた状態となる。
【００３５】
また、容器５０の奥側への挿入に伴い、図２及び図３に示すように、レバー１４は、その容器側押圧部１４ｂが容器５０の外側側面に押されることで、閉弁位置から開弁位置に向かって、第１のコイルバネ１４ｃの弾性力に抗して図２の反時計回りに回転する。弁部材１７は、このレバー１４の回転に伴い、レバー１４のドリッパー側押圧部１４ａに押されることによって、第２のコイルバネ１８の弾性力に抗して図２の反時計回りに回転する。これにより、弁部材１７の栓部１７ａが吐出口１６ｂから離れて、ドリッパー１６内のコーヒーが吐出口１６ｂから容器５０内に注がれる。
【００３６】
（効果）
以上、説明した一実施形態によれば、以下の効果を奏する。
【００３７】
（１）飲料抽出機１は、容器５０と、設置された容器５０に抽出した飲料（本例ではコーヒー）を注ぐ抽出機本体１０と、を備える。抽出機本体１０は、飲料抽出原料（本例ではコーヒー粉）を収容した状態でお湯が注がれることでコーヒーを生成するドリッパー１６と、容器５０が抽出機本体１０に設置されていないときドリッパー１６内から容器５０内へ飲料が流れることを規制する閉弁位置に付勢され、容器５０が抽出機本体１０に設置されたとき、容器５０に押されることで、ドリッパー１６内から容器５０内へ飲料が流れることを許容する開弁位置まで回転するレバー１４と、抽出機本体１０から飲料が注入される位置（容器収納空間１０ａ内）に存在する容器５０を押さえる押さえ部材３１と、を備える。
この構成によれば、容器５０が抽出機本体１０に設置されたとき、容器５０が押さえ部材３１によって押さえられることで、容器５０がレバー１４により押されて移動することが抑制される。
また、押さえ部材３１は、容器５０ではなく、抽出機本体１０に設けられる。このため、飲料抽出機１に押さえ部材３１を新たに設けた場合であっても、それに合わせた容器５０の設計変更が不要である。よって、容器５０をシンプルな構成に維持することができる。
【００３８】
（２）抽出機本体１０は、容器５０の底面が設置される設置板部１２を備え、容器５０の底面には、第１の凹部５１ｄが形成され、設置板部１２における容器５０が設置される面には、第１の凹部５１ｄに嵌合する第１の凸部１２ａが形成される。
この構成によれば、容器５０の第１の凹部５１ｄに設置板部１２の第１の凸部１２ａが嵌合することで、容器５０を設置板部１２上に安定して設置することができる。
【００３９】
（３）第１の凸部１２ａの上面は、容器５０が抽出機本体１０に挿入される方向(奥側)に向かうにつれて、設置板部１２の厚さ方向の高さが高くなるような傾斜面１２ａ１を備える。
この構成によれば、容器５０を挿入する際に、容器５０が設置板部１２の傾斜面１２ａ１に摺動しつつ案内される。これにより、容器５０をスムーズに抽出機本体１０に挿入することができる。
【００４０】
（４）抽出機本体１０は、レバー１４が抽出機本体１０に設置された容器５０を押す力より大きい力で、押さえ部材３１を介して容器５０を押す押さえ部材用バネ３２を備える。
この構成によれば、容器５０が抽出機本体１０に設置されたとき、容器５０がレバー１４によって押されて移動することがより確実に抑制される。
【００４１】
（５）容器５０は、有底筒状の容器本体５１と、容器本体５１の開口部５１ｆを覆う蓋体５２と、を備える。押さえ部材３１は、設置された容器５０の上方に位置し、容器本体５１の上端に当接する当接部３１ａ１を備える。
この構成によれば、押さえ部材３１の当接部３１ａ１によって、蓋体５２でなく、容器本体５１を押さえることで、容器５０を安定的に押さえることができる。また、２つの当接部３１ａ１にて容器５０を押さえることで、容器５０をより安定的に押さえることができる。
【００４２】
（６）押さえ部材３１は、容器５０が挿入される際、当接部３１ａ１より先に容器５０に当接する位置に設けられ、当接部３１ａ１側に向かうにつれて設置面５に近くなる傾斜面３１ａ３を備える。
容器５０の挿入に伴って、その容器５０が傾斜面３１ａ３に摺動することで、押さえ部材３１を抽出機本体１０の設置面５から離れる方向に退避させることができる。よって、容器５０を抽出機本体１０にスムーズに挿入することができる。
また、例えば、ユーザが立ったまま容器５０をテーブルに設置された抽出機本体１０に挿入する場合、容器５０が傾いた状態で抽出機本体１０に挿入されることが想定される。この場合であっても、傾斜面３１ａ３に容器５０が摺動及び案内されることで容器５０の傾きが是正される。よって、より確実に、容器５０を抽出機本体１０に挿入することができる。
【００４３】
（７）容器本体５１は、容器本体５１の上端に連結され、抽出機本体１０の高さ方向から見て容器本体５１の外側に向かって突出する注ぎ口５１ｃを備える。押さえ部材３１には、容器５０が挿入される際、注ぎ口５１ｃを避ける谷部３１ｂが形成される。
この構成によれば、容器５０を抽出機本体１０に挿入する際、容器５０の注ぎ口５１ｃが押さえ部材３１に当接することが抑制される。よって、容器５０を抽出機本体１０にスムーズに挿入することができる。また、容器５０の挿入が完了した際、注ぎ口５１ｃを所望の位置、具体的には、抽出機本体１０から飲料が確実に注がれる位置とすることができる。
【００４４】
（８）容器５０は、全体が合成樹脂により形成される。この構成によれば、容器５０を軽量化することができ、容器５０からコップに飲料を注ぐ際に、ユーザは大きな力を要しない。また、このように比較的に軽い容器５０であっても、上述のように、その容器５０を押さえる押さえ部材３１が設けられることで、容器５０がレバー１４によって押されて移動することが抑制される。よって、押さえ部材３１を備えた飲料抽出機１は、軽量の容器５０を採用した場合に、特に好適である。
また、軽量の容器５０が採用されることで、レバー１４の容器側押圧部１４ｂから容器５０への付勢力を、従来のステンレス製の容器を備えた飲料抽出機に比べて小さく設定できる。これにより、容器５０を挿入する際のレバー１４による反力が小さくなるため、容器５０をスムーズに抽出機本体１０に挿入することができる。また、容器５０を挿入する際、抽出機本体１０が動くことを抑制することができる。よって、ユーザは片手で容器５０を簡単に抽出機本体１０に挿入することができる。
【００４５】
（９）容器５０の第２の凹部５１ｅ内に、設置板部１２の第２の凸部１２ｂが進入することで、容器５０の抽出機本体１０への挿入が可能となる。よって、容器５０が抽出機本体１０に対して正しい向きにあるときに限り、容器５０を抽出機本体１０に挿入することができる。従って、押さえ部材３１に対する容器５０の姿勢を定めることができ、ひいては押さえ部材３１によって容器５０がより確実に押さえられる。
【００４６】
（変形例）
なお、上記実施形態は、これを適宜変更した以下の形態にて実施することができる。
【００４７】
上記実施形態においては、押さえ部材３１は、２つの山部３１ａを備えていたが、山部３１ａの数は１つ又は３つ以上であってもよい。
【００４８】
上記実施形態においては、押さえ部材３１を付勢する一対の押さえ部材用バネ３２が設けられていたが、押さえ部材用バネ３２の数は１つ又は３つ以上であってもよい。また、押さえ部材用バネ３２はコイルバネ以外のバネであってもよいし、押さえ部材用バネ３２に代えてゴム等の弾性部材を設けてもよい。また、押さえ部材用バネ３２を省略してもよい。この場合、例えば、押さえ部材をノーズ部１５の手前側で支持する片持ち梁のように構成する。この構成によっても、押さえ部材の奥側で容器５０を押さえることができる。なお、押さえ部材用バネ３２を用いずに、押さえ部材３１の重量自体で、容器本体５１の上端を設置板部１２側に押圧することで、上記実施形態と同様の効果を得ることができる。
【００４９】
上記実施形態では、飲料抽出機１は、抽出機本体１０と、容器５０と、を備えていたが、容器５０を省略してもよい。この場合、飲料抽出機１は、ユーザが所有するカップ又は使い捨てカップ等を押さえ部材３１を通じて押さえる抽出機本体１０により構成される。
【００５０】
上記実施形態では、押さえ部材３１には、谷部３１ｂが形成されていたが、谷部３１ｂを省略してもよい。また、例えば、図７（ａ），（ｂ）に示すように、抽出機本体１１０におけるノーズ部１１５には、上記実施形態の押さえ部材３１に代えて、押さえ部材３１と略同一形状である天井部材１３８が設けられてもよい。天井部材１３８は、上記実施形態の押さえ部材３１と異なって、ノーズ部１１５に固定されている。そして、この抽出機本体１１０におけるノーズ部１１５には、天井部材１３８の奥側に一対の押さえ部材１３１が設けられている。一対の押さえ部材１３１は、レバー１４の回転軸Ｏ１と同一方向に沿って配列されている。一対の押さえ部材１３１は、バネ等の弾性部材（図示しない）を通じて容器５０における注ぎ口５１ｃの根元、具体的には、蓋体５２の注ぎ口５１ｃに対応する部位を付勢する。これにより、容器５０が容器収納空間１０ａ内に保持される。
また、図８（ａ），（ｂ）に示すように、図７の押さえ部材１３１の位置を変更してもよい。例えば、図８（ａ），（ｂ）に示すように、一対の押さえ部材２３１は、レバー１４の回転軸Ｏ１と同一方向に沿って配列され、かつ天井部材１３８を挟み込むように位置する。一対の押さえ部材２３１は、バネ等の弾性部材（図示しない）を通じて容器本体５１の上端を付勢する。これにより、容器５０が容器収納空間１０ａ内に保持される。
【００５１】
上記実施形態では、押さえ部材３１は、容器５０を上方から押さえていたが、容器５０を側方又は下方から押さえてもよい。
【００５２】
上記実施形態では、容器５０の底面には、第１の凹部５１ｄが形成され、設置板部１２には、第１の凹部５１ｄに嵌合する第１の凸部１２ａが形成されていたが、反対に、容器５０の底面に凸部を形成し、設置板部１２にその凸部に嵌合する凹部が形成されてもよい。例えば、容器５０の底面に一対のレール状に凸部を形成することで、容器５０をテーブル等に置いた場合にも、容器５０が安定的にテーブル等に設置される。
【００５３】
上記実施形態における設置板部１２の第１の凸部１２ａの上面には、傾斜面１２ａ１が形成されていたが、第１の凸部１２ａの上面は設置面５に沿う平面状に形成されてもよい。また、上記実施形態における設置板部１２の第２の凸部１２ｂ及び容器５０の第２の凹部５１ｅは、互いに嵌合可能であればどのような形状であってもよい。また、第２の凸部１２ｂ及び第２の凹部５１ｅを省略してもよい。同様に、設置板部１２の第１の凸部１２ａ及び容器５０の第１の凹部５１ｄは、互いに嵌合可能であればどのような形状であってもよい。また、第１の凸部１２ａ及び第１の凹部５１ｄを省略してもよい。さらには、抽出機本体１０における設置板部１２を省略してもよい。この場合、容器５０は、抽出機本体１０の設置面５に直接に設置される。
【００５４】
上記実施形態では、押さえ部材３１には、傾斜面３１ａ３が形成されていたが、傾斜面３１ａ３を省略してもよい。
【００５５】
上記実施形態では、容器５０は、全体が合成樹脂により形成されていたが、ステンレス製であってもよい。
【００５６】
上記実施形態では、抽出機本体１０は、お湯をドリッパー１６に供給する給液部２０ａを備えていたが、給液部２０ａは省略されてもよい。この場合、お湯は、抽出機本体１０の外部から抽出機本体１０に供給される構成であってもよいし、ユーザによってお湯がドリッパー１６に供給されてもよい。
【００５７】
上記実施形態においては、飲料抽出機１は、コーヒーを抽出するためのものであったが、コーヒー以外の飲料を抽出してもよい。
【符号の説明】
【００５８】
１…飲料抽出機
５…設置面
１０，１１０…抽出機本体
１０ａ…容器収納空間
１１…ベース部
１２…設置板部
１２ａ…第１の凸部
１２ａ１…傾斜面
１２ｂ…第２の凸部
１３…柱部
１３ａ…第３の凹部
１３ｂ…第４の凹部
１３ｃ…水タンク
１４…レバー（弁制御部材）
１４ａ…ドリッパー側押圧部
１４ｂ…容器側押圧部
１４ｃ…コイルバネ
１５，１１５…ノーズ部
１５ａ…バネ収容軸部
１５ｂ…抜け止め部
１６…ドリッパー
１６ａ…吐出凹部
１６ｂ…吐出口
１７…弁部材
１７ａ…栓部
１８…コイルバネ
２０…蓋体
２０ａ…給液部
２０ｂ…給湯路
３０…容器押さえ機構
３１，１３１，２３１…押さえ部材
３１ａ…山部
３１ａ１…当接部
３１ａ２…軸収容部
３１ａ３…傾斜面
３１ａ４…貫通孔
３１ｂ…谷部
３２…押さえ部材用バネ
５０…容器
５１…容器本体
５１ｂ…取手
５１ｃ…注ぎ口
５１ｃ１…側壁
５１ｃ２…傾斜面
５１ｄ…第１の凹部
５１ｅ…第２の凹部
５１ｆ…開口部
５２…蓋体
１３８…天井部材
Ｏ１，Ｏ２…回転軸
【図１】
2017064005.tif 000003
【図２】
2017064005.tif 000004
【図３】
2017064005.tif 000005
【図４】
2017064005.tif 000006
【図５】
2017064005.tif 000007
【図６】
2017064005.tif 000008
【図７】
2017064005.tif 000009
【図８】
2017064005.tif 000010